(57)【要約】【課題】  表示試験における作業者の感電や短絡・地絡事故、電力供給支障などのヒューマンエラーを完全に防止しつつ、作業時間を大幅に短縮して、安全かつ確実に表示試験を行う。【解決手段】  電力機器に接続される電力機器側端子と表示基板に接続される表示基板側端子とを有する表示端子台を備えた遠隔監視制御装置の表示試験に用いられる表示試験装置であって、第１の制御信号に応じて、前記表示基板側端子に正側直流電源を供給する第１のスイッチ回路と、前記表示試験を行う場合に、外部試験装置から入力される制御情報に基づいて、前記第１の制御信号を出力する制御信号出力部と、を有する。【選択図】  図１
2014023357.tif 000002
【特許請求の範囲】
【請求項１】
電力機器に接続される電力機器側端子と表示基板に接続される表示基板側端子とを有する表示端子台を備えた遠隔監視制御装置の表示試験に用いられる表示試験装置であって、
第１の制御信号に応じて、前記表示基板側端子に正側直流電源を供給する第１のスイッチ回路と、
前記表示試験を行う場合に、外部試験装置から入力される制御情報に基づいて、前記第１の制御信号を出力する制御信号出力部と、
を有することを特徴とする表示試験装置。
【請求項２】
請求項１に記載の表示試験装置であって、
前記電力機器側端子と前記表示基板側端子との間に接続された第２のスイッチ回路をさらに有し、
前記制御信号出力部は、前記表示試験を行う場合に、前記第２のスイッチ回路を開く第２の制御信号を出力することを特徴とする表示試験装置。
【請求項３】
請求項２に記載の表示試験装置であって、
前記第１のスイッチ回路および前記第２のスイッチ回路をそれぞれ複数有し、
前記表示端子台は、前記電力機器側端子および前記表示基板側端子をそれぞれ複数有し、
複数の前記第１のスイッチ回路は、それぞれ複数の前記表示基板側端子に前記正側直流電源を供給し、
複数の前記第２のスイッチ回路は、複数の前記電力機器側端子と複数の前記表示基板側端子との間にそれぞれ接続され、
前記制御信号出力部は、前記表示試験を行う場合に、
複数の前記第２のスイッチ回路をすべて開く前記第２の制御信号を出力するとともに、
複数の前記第１のスイッチ回路を、前記制御情報に基づいて、それぞれ開閉する複数の前記第１の制御信号を出力することを特徴とする表示試験装置。
【請求項４】
請求項３に記載の表示試験装置であって、
前記遠隔監視制御装置は、前記表示端子台を複数有し、
前記制御信号出力部は、前記表示試験を行う場合に、
複数の前記表示端子台のうち前記制御情報に基づいて選択された表示端子台に接続されている複数の前記第２のスイッチ回路をすべて開く前記第２の制御信号を出力するとともに、
当該選択された表示端子台に接続されている複数の前記第１のスイッチ回路を、前記制御情報に基づいて、それぞれ開閉する複数の前記第１の制御信号を出力することを特徴とする表示試験装置。
【発明の詳細な説明】
【技術分野】
【０００１】
本発明は、表示試験装置に関する。
【背景技術】
【０００２】
電力系統の信頼性を確保するためには、発電所、変電所などの電気所や送電線、配電線などの電線路を適宜監視することが重要である。また、電気所は交通が不便な場所にある場合や電気所運転の効率化のため無人のケースが多く、電気所内に設置されている電力機器は、一般に、遠隔監視制御装置（以下、遠制装置と称する）を用いて制御所や給電所などから遠隔制御（遠隔操作）されるとともに、それらの施設において遠隔監視されている。
【０００３】
このような遠制装置では、従来から据付時や数年に１回の定期点検時に表示試験（表示確認試験）が行われている。また、当該表示試験は、例えば特許文献１の図８に示されているように、試験用リード棒などを用いて、表示端子台の電力機器（装置外部）側の各端子を正側直流電源線（以下、Ｐ電源線と称する）と短絡させて行われている。さらに、特許文献１では、遠制装置が平常運転状態の場合には試験用リード棒にＰ電源が供給されないようにすることによって、ヒューマンエラーや電力供給支障などを防止することができる表示試験装置が開示されている。
【先行技術文献】
【特許文献】
【０００４】
【特許文献１】特開２０１０−１９７５６号公報
【発明の概要】
【発明が解決しようとする課題】
【０００５】
しかしながら、上記のような試験用リード棒を用いる表示試験は、狭い盤裏での作業となるため、作業者のヒューマンエラーによる感電や短絡・地絡事故、電力供給支障などを完全に防止することは困難である。  
また、連系変電所などの大規模な電気所では、作業量が多く、相当な作業時間や労力が必要となる。さらに、電力系統全体ですべての遠制装置に対して表示試験を完了するまでには長期間かかるため、各遠制装置に対して頻繁に表示試験を行うことは困難であり、不具合が生じていても、次回の表示試験が行われるまでの間は発見することができない。
【課題を解決するための手段】
【０００６】
前述した課題を解決する主たる本発明は、電力機器に接続される電力機器側端子と表示基板に接続される表示基板側端子とを有する表示端子台を備えた遠隔監視制御装置の表示試験に用いられる表示試験装置であって、第１の制御信号に応じて、前記表示基板側端子に正側直流電源を供給する第１のスイッチ回路と、前記表示試験を行う場合に、外部試験装置から入力される制御情報に基づいて、前記第１の制御信号を出力する制御信号出力部と、を有することを特徴とする表示試験装置である。
【０００７】
本発明の他の特徴については、添付図面及び本明細書の記載により明らかとなる。
【発明の効果】
【０００８】
本発明によれば、表示試験における作業者の感電や短絡・地絡事故、電力供給支障などのヒューマンエラーを完全に防止しつつ、作業時間を大幅に短縮して、安全かつ確実に表示試験を行うことができる。
【図面の簡単な説明】
【０００９】
【図１】本発明の一実施形態における表示試験装置の１ワード分の構成を示す回路ブロック図である。
【図２】本発明の一実施形態における表示試験装置全体の構成の概略を示す回路ブロック図である。
【図３】本発明の一実施形態における表示試験装置を用いて遠制装置の表示試験を行う方法を説明するフローチャートである。
【図４】外部試験装置９における表示画面の一例を示す図である。
【発明を実施するための形態】
【００１０】
本明細書および添付図面の記載により、少なくとも以下の事項が明らかとなる。
【００１１】
＝＝＝表示試験装置の構成＝＝＝
以下、図１および図２を参照して、本発明の一実施形態における表示試験装置の構成について説明する。なお、図２は、一例として３ワードに相当する３個の表示端子台を備えた遠制装置（遠隔監視制御装置）およびその表示試験に用いられる表示試験装置の構成を示しており、図１は、そのうち１ワード分の構成を示している。また、図２においては、表示端子台に接続された表示基板および電力機器は省略されている。
【００１２】
まず、図２に示すように、遠制装置１は、第１ないし第３ワードにそれぞれ対応する表示端子台５１ないし５３を備えている。また、各表示端子台は５対の端子を有しており、このことは、各ワードが一例として５ビットからなることを意味する。なお、図２では省略されているが、後述するように、各表示端子台には、遠制装置１外の電力機器および遠制装置１内の表示基板が接続されている。
【００１３】
遠制装置１の表示試験に用いられる本実施形態の表示試験装置は、スイッチ回路１１ないし１６、Ｐ電源線（正側直流電源線）２０、遠方・直接切替開閉器（４３Ｒ）２１、平常・試験切替開閉器（４３ＴＳ）２２、および制御信号出力部３０からなる。
【００１４】
（第１の）スイッチ回路１１、１３、１５は、それぞれ１ワードのビット数に対応して５個のスイッチからなる。また、それら５×３個のスイッチの一端は、それぞれ、表示端子台５１ないし５３の５×３対の端子の一方側（後述する表示基板側端子）に接続され、他端は、共通に接続されている。そして、当該他端の共通の接続点は、直列に接続された平常・試験切替開閉器２２および遠方・直接切替開閉器２１を介して、Ｐ電源線２０に接続されている。
【００１５】
（第２の）スイッチ回路１２、１４、１６は、それぞれ１ワードのビット数に対応して５個のスイッチからなる。また、それら５×３個のスイッチは、表示端子台５１ないし５３の５×３対の端子の一方側と他方側（後述する電力機器側端子）との間にそれぞれ接続されている。
【００１６】
制御信号出力部３０には、通信処理部７０を介して、外部試験装置９から制御情報ＣＮが入力されている。また、制御信号出力部３０からは、当該制御情報ＣＮに基づいて、スイッチ回路１１ないし１６をそれぞれ制御するための制御信号Ｓ１１ｘ（Ｓ１１ａ〜Ｓ１１ｅ）、Ｓ１２、Ｓ１３ｘ（Ｓ１３ａ〜Ｓ１３ｅ）、Ｓ１４、Ｓ１５ｘ（Ｓ１５ａ〜Ｓ１５ｅ）、Ｓ１６が出力されている。
【００１７】
次に、図１は、図２に示した遠制装置１および表示試験装置のうち、第１ワードに対応する構成を示している。当該１ワード分の構成においては、遠制装置１は、第１ワードに対応する表示端子台５１を備え、その表示試験に用いられる表示試験装置は、スイッチ回路１１、１２、Ｐ電源線２０、遠方・直接切替開閉器２１、平常・試験切替開閉器２２、および制御信号出力部３０からなる。
【００１８】
表示端子台５１は、遠制装置１外の電力機器８に接続される５個の電力機器側端子と、遠制装置１内の表示基板６０に接続される５個の表示基板側端子とが対になっている。また、表示基板６０からは、表示情報ＤＳが出力され、当該表示情報ＤＳは、通信処理部７０を介して、外部試験装置９に入力されている。
【００１９】
（第１の）スイッチ回路１１は、１ワードのビット数に対応して５個のスイッチ１１ａないし１１ｅからなる。また、スイッチ１１ａないし１１ｅの一端は、それぞれ表示基板側端子に接続され、他端は、共通に接続されている。そして、当該他端の共通の接続点は、直列に接続された平常・試験切替開閉器２２および遠方・直接切替開閉器２１を介して、Ｐ電源線２０に接続されている。なお、スイッチ１１ａないし１１ｅは、例えばサイリスタで構成され、それぞれゲート信号として供給される（第１の）制御信号Ｓ１１ａないしＳ１１ｅに応じて開閉制御される。
【００２０】
（第２の）スイッチ回路１２は、１ワードのビット数に対応して５個のスイッチ１２ａないし１２ｅからなる。また、スイッチ１２ａないし１２ｅは、５個の電力機器側端子と５個の表示基板側端子との間にそれぞれ接続されている。なお、スイッチ１２ａないし１２ｅは、例えば、ｂ接点および当該ｂ接点を開くためのコイルで構成され、コイルに供給される（第２の）制御信号Ｓ１２によって、すべてが一斉に開く。
【００２１】
制御信号出力部３０には、通信処理部７０を介して、外部試験装置９から制御情報ＣＮが入力されている。また、制御信号出力部３０からは、当該制御情報ＣＮに基づいて、スイッチ１１ａないし１１ｅをそれぞれ開閉制御するための制御信号Ｓ１１ａないしＳ１１ｅ、およびスイッチ１２ａないし１２ｅを一斉に開くための制御信号Ｓ１２が出力されている。
【００２２】
＝＝＝遠制装置の表示試験方法＝＝＝
以下、図３および図４を適宜参照して、本実施形態における表示試験装置を用いて遠制装置の表示試験を行う方法について説明する。なお、外部試験装置９は、例えば、表示試験用のプログラムが実行されているノート型パーソナルコンピュータであり、外部試験装置９における表示画面の一例を図４に示す。
【００２３】
図３のＳ１に示すように、表示試験を開始する際には、まず、遠方・直接切替開閉器２１を「遠方」から「直接」に切り替えて閉じるとともに、平常・試験切替開閉器２２を「平常」から「試験」に切り替えて閉じる。
【００２４】
次に、外部試験装置９において、表示試験の対象とする試験ワードを設定する（Ｓ２）。一例として、図４の表示画面においては、試験ワードとして第１ワード（表示端子台５１に対応）が設定されており、図３のＳ３以降の処理においては、試験ワードが第１ワードである場合（第１ワードの表示試験時）について説明する。そして、試験ワードを設定した後、「試験開始」キーを押下する（Ｓ３）。なお、図４の表示画面の場合には、「試験開始」の領域をクリックまたはタッチ（タッチパネルの場合）する。
【００２５】
「試験開始」キーが押下されると、外部試験装置９は、設定された試験ワードなどに応じた制御情報ＣＮを出力し、当該制御情報ＣＮは、通信処理部７０を介して、制御信号出力部３０に入力される。そして、制御信号出力部３０は、制御情報ＣＮに基づいて、各制御信号を出力する。
【００２６】
ここで、第１ワードの表示試験時には、制御信号出力部３０は、まず、制御信号Ｓ１２を出力して、スイッチ回路１２（スイッチ１２ａないし１２ｅ）をすべて開く（Ｓ４）。次に、制御信号出力部３０は、制御信号Ｓ１１ａないしＳ１１ｅを順次出力して、スイッチ１１ａないし１１ｅを開閉制御する（Ｓ５）。例えば、ビット「１」を示す制御信号Ｓ１１ａないしＳ１１ｅを順次出力して、順次スイッチ１１ａないし１１ｅを一旦閉じ、それぞれが接続されている表示基板側端子にＰ電源を供給する。
【００２７】
また、外部試験装置９は、通信処理部７０を介して入力される表示情報ＤＳが、制御信号Ｓ１１ａないしＳ１１ｅとして出力されているビット（出力ビット）と一致しているか否かをチェックする（Ｓ６）。例えば、出力ビットは、「０００００」、「１００００」、「０１０００」、「００１００」、「０００１０」、「００００１」、「０００００」の順に変化し、表示情報ＤＳが当該変化に追従して出力ビットと一致している場合（Ｓ６：ＹＥＳ）には、試験結果「ＯＫ」を表示して（Ｓ７）、表示試験を終了する（Ｓ９）。一方、表示情報ＤＳが出力ビットと一致していない場合（Ｓ６：ＮＯ）には、試験結果「ＮＧ」を表示して（Ｓ８）、表示試験を終了する（Ｓ９）。
【００２８】
このように、順次スイッチ１１ａないし１１ｅを一旦閉じ、表示基板側端子にＰ電源を順次供給しつつ、表示情報ＤＳを確認することによって、外部試験装置９からの制御によって第１ワードの表示試験を行うことができる。なお、図４に示すように、試験ワードとして複数ワードを設定することもでき、その場合には、１ワードごとに図３のＳ４以降の処理を繰り返すことによって、複数ワードの表示試験を行うことができる。
【００２９】
前述したように、１ワード分の構成を図１に示した遠制装置１の表示試験に用いられる表示試験装置において、Ｐ電源線（正側直流電源線）２０と表示端子台５１の表示基板側端子との間に（第１の）スイッチ回路１１を設け、当該スイッチ回路１１を開閉制御することによって、外部試験装置９からの制御により自動的に表示基板側端子にＰ電源を供給することができる。そのため、表示試験における作業者の感電や短絡・地絡事故、電力供給支障などのヒューマンエラーを完全に防止しつつ、作業時間を大幅に短縮して、安全かつ確実に表示試験を行うことができる。
【００３０】
また、表示端子台５１の電力機器側端子と表示基板側端子との間に（第２の）スイッチ回路１２を設け、当該スイッチ回路１２を開いて電力機器側端子−表示基板側端子間を切り離すことによって、表示端子台５１に接続されている電力機器８の動作状態によらず、全ポジションの表示試験を行うことができる。
【００３１】
また、表示端子台５１が有する５対の端子に対応して、スイッチ回路１１をスイッチ１１ａないし１１ｅで構成し、スイッチ回路１２をスイッチ１２ａないし１２ｅで構成することによって、表示試験を行う際には、スイッチ回路１２（スイッチ１２ａないし１２ｅ）をすべて開いたうえで、スイッチ回路１１（スイッチ１１ａないし１１ｅ）をそれぞれ開閉制御して、第１ワードの表示試験を行うことができる。
【００３２】
また、表示試験の対象とする試験ワードとして複数ワードを設定する場合には、設定された試験ワードに対応する表示端子台ごとに、第２のスイッチ回路（１２，１４，１６）をすべて開いたうえで、第１のスイッチ回路（１１，１３，１５）をそれぞれ開閉制御して、複数ワードの表示試験を行うことができる。
【００３３】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３４】
１          遠制装置（遠隔監視制御装置）
８          電力機器
９          外部試験装置（ノート型パーソナルコンピュータ）
１１〜１６  スイッチ回路
１１ａ〜１１ｅ、１２ａ〜１２ｅ  スイッチ
２０        Ｐ電源線（正側直流電源線）
２１        遠方・直接切替開閉器（４３Ｒ）
２２        平常・試験切替開閉器（４３ＴＳ）
３０        制御信号出力部
５１〜５３  表示端子台
６１        表示基板
７０        通信処理部
【図１】
2014023357.tif 000003
【図２】
2014023357.tif 000004
【図３】
2014023357.tif 000005
【図４】
2014023357.tif 000006